(57)【特許請求の範囲】
【請求項１】
便器上に載置して使用する衛生洗浄装置本体と、内部にポンプを有し、衛生洗浄装置本体に水を給水する外付けポンプユニットと、前記衛生洗浄装置本体と前記外付けポンプユニットにはそれぞれ電気的に接続する第1の接続部と、水密に接続する第２の接続部とを備え、前記第２の接続部は、衛生洗浄装置本体側に設けられた円筒状の入水部と、前記入水部の外周より僅かに大きく前記入水部と篏合する外付けポンプユニット側に設けられた出水部により構成され、前記入水部は円筒状の外周を覆うシール材と入水口を有し、前記出水部は出水口を有し、外付けポンプユニットを使用しない場合には、前記入水部の外周に着脱可能で給水源から水を供給する連結管と接続する給水アダプターを接続可能とした衛生洗浄装置。
【請求項２】
第２の接続部は、衛生洗浄装置本体側に設けられた円筒状の入水部と、入水部の外周で外付ポンプユニット側に設けられた出水部より構成され、前記入水部は円筒状の外周を覆うシール材で囲まれた切り欠けに設けられた入水口を有し、前記出水部は前記入水部のシール材で囲まれた部分と対峙する位置に設けられた出水口を有し、入水部は外付ポンプユニットを使用しない場合にはその外周に着脱可能で給水源から水を供給する連結管と接続する給水アダプターを接続可能とした請求項１記載の衛生洗浄装置。
【請求項３】
第１の接続部は、外付ポンプユニットに設けられた突出部を衛生洗浄装置本体に設けられた収容部に挿入することにより電気的に接続する請求項１記載の衛生洗浄装置。
【請求項４】
第１の接続部により衛生洗浄装置本体と外付ポンプユニットが電気的に接続されているか否かを検知する第１の検知部を備え、前記第１の接続部が前記衛生洗浄装置本体に前記外付ポンプユニットが電気的に接続されて検知したときは、前記衛生洗浄装置本体の操作部を操作して前記外付ポンプユニットを運転制御できるようにしたことを特徴とする請求項１記載の衛生洗浄装置。
【請求項５】
衛生洗浄装置本体と着脱可能に接続され、トイレ室内を暖房する暖房ユニットと、前記暖房ユニットもしくは外付ポンプユニットを前記衛生洗浄装置本体と電気的に接続する第１の接続部と、前記第１の接続部に前記衛生洗浄装置本体と前記外付ポンプユニットが接続されているか、あるいは前記暖房ユニットが接続されているかを検知する第２の検知部とを備え、前記第２の検知部が前記衛生洗浄装置本体と前記外付ポンプユニットが接続されていると検知したときは前記衛生洗浄装置本体の操作部を操作して前記外付ポンプユニットを運転できるようにし、また前記衛生洗浄装置本体と前記暖房ユニットが接続されていると検知したときは前記衛生洗浄装置本体の操作部を操作して前記暖房ユニットを運転できるようにしたことを特徴とする請求項１記載の衛生洗浄装置。
【発明の詳細な説明】
【０００１】
【発明の属する技術分野】
本発明は、着脱自在な外付ポンプユニットを有する衛生洗浄装置に関するものである。
【０００２】
【従来の技術】
従来この種の衛生洗浄装置は、特開昭６１−２５７５４７号公報に記載されているようなものが一般的であった。この装置は図９に示されているように、非水洗トイレや水洗トイレ（低水圧地域）で使用可能なポンプ給水式専用の水回路図であり、衛生洗浄装置本体１内は、洗浄水を加圧するためのポンプ２と温水ヒータ３によって洗浄水を温める温水タンク４と洗浄水の流路を切換えるための電磁弁５と人体を洗浄するためのノズル６へ洗浄水を導くためのホース７あるいは人体を洗浄するためのノズル８へ洗浄水を導くためのホース９とから構成されていた。
【０００３】
上記構成により給水タンク１０からの洗浄水はポンプ２により加圧され、温水タンク４に入る。さらに洗浄水は温水タンク４の温水ヒータ３により温められ、電磁弁５に入る。ポンプ２の運転と同時に電磁弁５は開くため、温水は電磁弁５の出口よりホース７を通りノズル６より噴出する。また電磁弁５を切換えるとホース９を通りノズル８より噴出し、人体を洗浄するように構成されていた。
【０００４】
【発明が解決しようとする課題】
しかしながら、従来の衛生洗浄装置では、水洗トイレ（高・中水圧地域）で使用可能な水道直結給水式と、非水洗トイレや水洗トイレ（低水圧地域）で使用可能なポンプ給水式の２種類が必要であり、生産管理及び流通管理が複雑になってしまうという課題を有していた。
【０００５】
また、現在衛生洗浄装置を使用中の家庭が引越しをした際、一部使用不可能になり買い替えなければならないという課題を有していた。
【０００６】
さらに、ポンプが故障すると、修理交換する時間に多くを要するという課題を有していた。
【０００７】
【課題を解決するための手段】
本発明は上記課題を解決するために、便器上に載置して使用する衛生洗浄装置本体と、内部にポンプを有し水を給水する外付ポンプユニットとを、着脱自在にしたものである。
【０００８】
上記発明によれば、衛生洗浄装置本体を水道直結給水式からポンプ給水式へ簡単に変換することが可能になるので、生産管理及び流通管理が容易になり、現在衛生洗浄装置を使用中の家庭が引越しをした際、使用不可能になることもなくなり、ポンプが故障したとき容易に修理交換作業ができる。
【０００９】
【発明の実施の形態】
本発明は、便器上に載置して使用する衛生洗浄装置本体と、内部にポンプを有し、衛生洗浄装置本体に水を給水する外付ポンプユニットと、前記衛生洗浄装置本体と前記外付けポンプユニットにはそれぞれ電気的に接続する第1の接続部と、水密に接続する第２の接続部とを備え、前記第２の接続部は、衛生洗浄装置本体側に設けられた円筒状の入水部と、前記入水部の外周より僅かに大きく前記入水部と篏合する外付けポンプユニット側に設けられた出水部により構成され、前記入水部は円筒状の外周を覆うシール材と入水口を有し、前記出水部は出水口を有し、外付けポンプユニットを使用しない場合には、前記入水部の外周に着脱可能で給水源から水を供給する連結管と接続する給水アダプターを接続可能としたものである。
【００１３】
また、第２の接続部は、衛生洗浄装置本体側に設けられた円筒状の入水部と、入水部の外周で外付ポンプユニット側に設けられた出水部より構成され、前記入水部は円筒状の外周を覆うシール材で囲まれた切り欠けに設けられた入水口を有し、前記出水部は前記入水部のシール材で囲まれた部分と対峙する位置に設けられた出水口を有し、入水部は外付ポンプユニットを使用しない場合にはその外周に着脱可能で給水源から水を供給する連結管と接続する給水アダプターを有したものである。
【００１４】
そして、水洗トイレ（高・中水圧地域）で使用可能な水道直結給水式用の給水アダプターを容易に外して、非水洗トイレや水洗トイレ（低水圧地域）で使用可能なポンプ給水式用の外付ポンプユニットを取付けることができるので、衛生洗浄装置本体の機種数が今までの半分になるということで生産管理及び流通管理が容易になり、また現在衛生洗浄装置を使用中の家庭が引越しをした際、使用不可能になることがなくなる。
【００１５】
また、第１の接続部は、外付ポンプユニットに設けられた突出部を衛生洗浄装置本体に設けられた収容部に挿入することにより電気的に接続するものである。
【００１６】
そして、外付ポンプユニットの突出部に第１の接続部を設け、その突出部を衛生洗浄装置本体の収容部に挿入するので、第１の接続部に汚水、洗剤、水等が掛からず外付ポンプユニットを故障させることがなく、また位置決めが容易ではめ合わせし易い。
【００１７】
また、第１の接続部により衛生洗浄装置本体と外付ポンプユニットが電気的に接続されているか否かを検知する第１の検知部を備え、前記第１の接続部が前記衛生洗浄装置本体に前記外付ポンプユニットが電気的に接続されて検知したときは、前記衛生洗浄装置本体の操作部を操作して前記外付ポンプユニットを運転制御できるようにしたことを特徴とするものである。
【００１８】
そして、このように衛生洗浄装置本体に外付ポンプユニットが接続されているか否かを検知する第１の検知部を備えているので、外付ポンプユニットと衛生洗浄装置本体とが電気的に接続されたかどうかが試運転によって確認ができ、接続未完了作業などの防止ができる。
【００１９】
さらに、衛生洗浄装置本体と着脱可能に接続され、トイレ室内を暖房する暖房ユニットと、前記暖房ユニットもしくは外付ポンプユニットを前記衛生洗浄装置本体と電気的に接続する第１の接続部と、前記第１の接続部に前記衛生洗浄装置本体と前記外付ポンプユニットが接続されているか、あるいは前記暖房ユニットが接続されているかを検知する第２の検知部とを備え、前記第２の検知部が前記衛生洗浄装置本体と前記外付ポンプユニットが接続されていると検知したときは前記衛生洗浄装置本体の操作部を操作して前記外付ポンプユニットを運転できるようにし、また前記衛生洗浄装置本体と前記暖房ユニットが接続されていると検知したときは前記衛生洗浄装置本体の操作部を操作して前記暖房ユニットを運転できるようにしたことを特徴とするものである。
【００２０】
そして、このように衛生洗浄装置本体に外付ポンプユニットが接続されているか、あるいは暖房ユニットが接続されているかを検知する第２の検知部を備えているので、臨機応変に外付ポンプユニットあるいは暖房ユニットを取付けることができる。
【００２１】
以下、本発明の実施例について図面を用いて説明する。なお、従来例と同一構成要素には、同一符号を付与する。
【００２２】
（実施例１）
図１は本発明の実施例１の衛生洗浄装置の全体斜視図である。また図２は衛生洗浄装置の水回路図である。
【００２３】
図１、図２において、便器１１上に載置し、洗浄機能・湯温温度調節機能等を操作するための操作部１２と各機能を制御する制御部１３と温水ヒータ３によって洗浄水を温める温水タンク４と洗浄水の流路を切換えるための電磁弁５と人体を洗浄するためのノズル６へ洗浄水を導くためのホース７あるいは人体を洗浄するためのノズル８へ洗浄水を導くためのホース９とからなる衛生洗浄装置本体１と、洗浄水を加圧するためのポンプ２を内蔵した外付ポンプユニット１４と、衛生洗浄装置本体１と外付ポンプユニット１４とをそれぞれ電気的に接続する第１の接続部１５と、衛生洗浄装置本体１と外付ポンプユニット１４とをそれぞれ水密的に接続する第２の接続部１６とで構成されている。
【００２４】
次に動作、作用について説明すると、操作部１２の洗浄機能を操作すると、制御部１３から信号及び電圧が第１の接続部１５を通って外付ポンプユニット１４に伝わる。そして、給水タンク１０からの洗浄水は外付ポンプユニット１４内のポンプ２により加圧され、第２の接続部１６を通って温水タンク４に入る。さらに洗浄水は衛生洗浄装置本体１内の温水タンク４の温水ヒータ３により温められ、電磁弁５に入る。ポンプ２の運転と同時に電磁弁５は開くため、温水は電磁弁５の出口よりホース７を通りノズル６より噴出する。また電磁弁５を切換えるとホース９を通りノズル８より噴出し、人体を洗浄するようになっている。従って、内部にポンプ２を有した外付ポンプユニット１４が着脱可能なので、ポンプ２が故障したとき容易に修理交換作業ができる。
【００２５】
（実施例２）
図３は本発明の実施例２の衛生洗浄装置本体の要部拡大図である。また図４は外付ポンプユニットの要部拡大図である。また図５は衛生洗浄装置本体と外付ポンプユニットとの接続状態を示す要部断面図である。
【００２６】
実施例１と異なる点は、第２の接続部１６が、図３のように衛生洗浄装置本体１側に設けられた円筒状の入水部１７と、図４のように入水部１７の外周で外付ポンプユニット側に設けられた出水部１８より構成され、図５のよう入水部１７は円筒状の外周を覆う２つのシール材１９の間の切り欠け２０に設けられた入水口２１を有し、出水部１８は入水部１７の２つのシール材１９の間の切り欠け２０と対峙する位置に出水口２２を有し、入水部１７は外付ポンプユニット１４を使用しない場合にその外周に着脱可能で給水源から水を供給する連結管２３と接続する給水アダプター２４とこの給水アダプター２４を固定する固定ねじ２５を有したところである。
【００２７】
なお実施例１と同一符号のものは同一構造を有し、説明は省略する。
次に動作、作用について説明すると、水洗トイレ（高・中水圧地域）で使用可能な水道直結給水式用の給水アダプター２４を固定ねじ２５を緩めて外し、非水洗トイレや水洗トイレ（低水圧地域）で使用可能なポンプ給水式用の外付ポンプユニット１４を取付けることができるので、衛生洗浄装置本体１の機種数が今までの半分になるということで生産管理及び流通管理が容易になり、また現在衛生洗浄装置を使用中の家庭が引越しをした際、使用不可能になることがなくなる。
【００２８】
（実施例３）
図６は衛生洗浄装置本体と外付ポンプユニットとの接続状態を示す要部断面図である。
【００２９】
実施例１と異なる点は、図６のように外付ポンプユニット１４が衛生洗浄装置本体１に挿入するための突出部２６とその突出部２６にコネクタ受け２７を設け、衛生洗浄装置本体１が、外付ポンプユニット１４の突出部２６を挿入するための収容部２８とその収容部２８内にコネクタ２９を設け、衛生洗浄装置本体１と外付ポンプユニット１４との接続状態が、コネクタ受け２７にコネクタ２９を挿入して電気的に接続する第１の接続部１５を収容部２８の中に収めるように突出部２６を収容部２８内に挿入したところである。
【００３０】
なお実施例１と同一符号のものは同一構造を有し、説明は省略する。
次に動作、作用について説明すると、外付ポンプユニット１４の突出部２６に第１の接続部１５を設け、その突出部２６を衛生洗浄装置本体１の収容部２８に挿入するので、第１の接続部１５に汚水、洗剤、水等が掛からず外付ポンプユニット１４を故障させることがなく、また位置決めが容易ではめ合わせし易い。
【００３１】
（実施例４）
図７は衛生洗浄装置本体内の制御部の制御ブロック図である。
【００３２】
実施例１と異なる点は、外付ポンプユニット１４の制御を行うポンプ制御部３０と衛生洗浄装置本体１の制御を行う衛生洗浄装置本体制御部３１と第１の接続部１５の接続の有無を表示する点灯ランプ３２と第１の接続部１５の接続の有無を検知し衛生洗浄装置本体制御部３１に信号を送る第１の検知部３３とを構成したところである。
【００３３】
なお実施例１と同一符号のものは同一構造を有し、説明は省略する。
次に動作、作用について説明すると、衛生洗浄装置本体１と外付ポンプユニット１４とが電気的に接続されたかどうかは、第１の検知部３３で判別し、接続されたときは、点灯ランプ３２を点灯させるように制御されるので、接続未完了作業などの防止ができる。
【００３４】
（実施例５）
図８は衛生洗浄装置本体内の制御部の制御ブロック図である。
【００３５】
実施例１と異なる点は、外付ポンプユニット１４と暖房ユニット３４の制御を行うポンプ・暖房制御部３５と衛生洗浄装置本体１の制御を行う衛生洗浄装置本体制御部３１と第１の接続部１５に外付ポンプユニット１４が接続されているか、あるいは暖房ユニット３４が接続されているかを検知し衛生洗浄装置本体制御部３１に信号を送る第２の検知部３６とを構成したところである。
【００３６】
なお実施例１と同一符号のものは同一構造を有し、説明は省略する。
次に動作、作用について説明すると、衛生洗浄装置本体１に外付ポンプユニット１４あるいは暖房ユニット３４のどちらが電気的に接続されたかは、第２の検知部３６で判別して衛生洗浄装置本体制御部３１に伝わり、ポンプ・暖房制御部３５がどちらか適切な制御を行うようになるので、臨機応変に外付ポンプユニット１４あるいは暖房ユニット３４を取付けることができる。
【００３７】
【発明の効果】
以上のように本発明によれば次の効果が得られる。
【００３８】
衛生洗浄装置本体と内部にポンプを有した外付ポンプユニットを接続する接続部を備え、この外付ポンプユニットが着脱可能なので、ポンプが故障したとき容易に修理交換作業ができる。
【００３９】
また、水洗トイレ（高・中水圧地域）で使用可能な水道直結給水式用の給水アダプターを容易に外して、非水洗トイレや水洗トイレ（低水圧地域）で使用可能なポンプ給水式用の外付ポンプユニットを取付けることができるので、衛生洗浄装置本体の機種数が今までの半分になるということで生産管理及び流通管理が容易になり、また現在衛生洗浄装置を使用中の家庭が引越しをした際、使用不可能になることがなくなる。
【００４０】
また、外付ポンプユニットの突出部に電気的接続部を設け、その突出部を衛生洗浄装置本体の収容部に挿入するので、電気的接続部に汚水、洗剤、水等が掛からず外付ポンプユニットを故障させることがなく、また位置決めが容易ではめ合わせし易い。
【００４１】
また、衛生洗浄装置本体に外付ポンプユニットが接続されているか否かを検知する検知部及び外付ポンプユニットを制御する制御部とを備えているので、外付ポンプユニットと衛生洗浄装置本体とが電気的に接続されたかどうかが試運転によって確認ができ、接続未完了作業などの防止ができる。
【００４２】
さらに、衛生洗浄装置本体に外付ポンプユニットが接続されているか、あるいは暖房ユニットが接続されているかを検知する検知部と外付ポンプユニット及び暖房ユニットを制御する制御部とを備えているので、臨機応変に外付ポンプユニットあるいは暖房ユニットを取付けることができる。
【図面の簡単な説明】
【図１】本発明の実施例１の衛生洗浄装置の全体斜視図
【図２】同実施例１の衛生洗浄装置の水回路図
【図３】本発明の実施例２の衛生洗浄装置本体の要部拡大図
【図４】同実施例２の外付ポンプユニットの要部拡大図
【図５】同実施例２の衛生洗浄装置本体と外付ポンプユニットとの接続状態を示す要部断面図
【図６】本発明の実施例３の衛生洗浄装置本体と外付ポンプユニットとの接続状態を示す要部断面図
【図７】本発明の実施例４の衛生洗浄装置本体内の制御部の制御ブロック図
【図８】本発明の実施例５の衛生洗浄装置本体内の制御部の制御ブロック図
【図９】従来の衛生洗浄装置の水回路図
【符号の説明】
１  衛生洗浄装置本体
２  ポンプ
１１  便器
１２  操作部
１３  制御部
１４  外付ポンプユニット
１５  第１の接続部
１６  第２の接続部
１７  入水部
１８  出水部
１９  シール材
２１  入水口
２２  出水口
２３  連結管
２４  給水アダプター
２６  突出部
２８  収容部
３３  第１の検知部
３４  暖房ユニット
３６  第２の検知部
【図１】
0003564902.tif 000002
【図２】
0003564902.tif 000003
【図３】
0003564902.tif 000004
【図４】
0003564902.tif 000005
【図５】
0003564902.tif 000006
【図６】
0003564902.tif 000007
【図７】
0003564902.tif 000008
【図８】
0003564902.tif 000009
【図９】
0003564902.tif 000010